(57)【要約】【課題】バスバーを樹脂ケースにインサート成型して形成させるインサート成型タイプの電気的接続部品について、バスバーを仮に連結している連結部の切断加工時に生じるバスバーの埋込み部の露出化を防止できるようにする。【解決手段】電気的接続部品は、窓部３を有するインサート部４が形成された樹脂ケース２を備えるとともに、インサート成型により樹脂ケースに組み込まれた複数のバスバー５を備え、バスバーの樹脂ケースへの組み込みは、各バスバーを連結部１２で仮に連結して形成されるバスバーユニット２２を用いてなされ、バスバーユニットをインサート成型により組み込んだ後に、窓部で露出する連結部に切断加工を施すことで各バスバーに導電路を形成させるようになっており、そして埋込み部に対する樹脂による保持力を増強させる保持力増強部２３が連結部の近傍でバスバーに設けられている。【選択図】  図２
2010046835.tif 000002
【特許請求の範囲】
【請求項１】
所望の配置パターンで設けられる複数の窓部を有するインサート部が形成された樹脂ケースを備えるとともに、インサート成型により前記インサート部を介して前記樹脂ケースに組み込まれた複数のバスバーを備え、そして前記複数のバスバーの前記樹脂ケースへの組み込みは、前記複数のバスバーを連結部で仮に連結して形成されるバスバーユニットを用いてなされ、前記バスバーユニットにおける前記複数のバスバーそれぞれについて、前記窓部で前記インサート部の樹脂中から突出して露出する露出部と前記樹脂中に埋め込まれる埋込み部が得られるようにして前記バスバーユニットを前記インサート部にインサート成型により組み込んだ後に、前記窓部で露出する前記連結部に切断加工を施すことで前記複数のバスバーに所望回路パターンの導電路を形成させるようしてなる電気的接続部品において、
前記埋込み部に対する前記樹脂による保持力を増強させる保持力増強部が前記連結部の近傍で前記バスバーに設けられていることを特徴とする電気的接続部品。
【請求項２】
前記窓部は、前記露出部を前記樹脂中から突出させる露出部突出辺を有する形状に形成され、前記バスバーユニットにおける前記連結部は、前記露出部突出辺に平行となる状態で前記窓部に露出するようにされ、前記バスバーは、前記露出部突出辺に直交する状態で前記窓部に突出する直交突出部を前記露出部に有するとともに、前記直交突出部に対して直角的に折り曲がる状態で連続するつなぎ部を前記埋込み部に有しており、そして前記保持力増強部は、前記つなぎ部の延在方向で前記つなぎ部に突設された突部として形成されていることを特徴とする請求項１に記載の電気的接続部品。
【発明の詳細な説明】
【技術分野】
【０００１】
本発明は、電気接続箱などのような電気的接続部品に係り、特に、導電路用のバスバーを樹脂ケースにインサート成型により組み込んで形成される電気的接続部品に関する。
【背景技術】
【０００２】
電気接続箱などのような電気的接続部品には様々なタイプがあり、その１つとして、導電路用のバスバーを樹脂ケースにインサート成型して所望回路パターンの導電路を樹脂ケースに形成させるインサート成型タイプの電気接続箱がある。図４〜図６に、インサート成型タイプの電気接続箱の代表的な構成例を示す。ここで、図４は電気接続箱の全体的な平面視状態を示し、図５は図４中のＡ部を拡大して示し、図６はＡ部におけるバスバーとバスバーユニットの構成を示している。
【０００３】
この例の電気接続箱１は、樹脂ケース２を備えている。樹脂ケース２は、所定の配置パターンで設けられる複数の角形の窓部３（窓部３ａ、窓部３ｂ、窓部３ｃなど）を有する平板状のインサート部４が形成され、種々の導電路パターンに形成されたバスバー５（バスバー５ａ、バスバー５ｂ、バスバー５ｃなど）がインサート成型によりインサート部４に組み込まれている。そしてバスバー５は、図５に示すように、角形の窓部３における１つ又は２つの辺を露出部突出辺６とし、この露出部突出辺６においてインサート部４の樹脂中から窓部３に突出して露出する露出部７（露出部７ａ、露出部７ｂ、露出部７ｃなど）とインサート部４の樹脂中に埋め込まれる埋込み部８（図５中に点線で示されるような部分）が得られるようにされている。またバスバー５は、いくつかのタイプの電気的接触部９（電気的接触部９ａ、電気的接触部９ｂ、電気的接触部９ｃなど）が設けられており、これらの電気的接触部９が露出部７として窓部３で露出するようにされている。
【０００４】
このようなインサート成型タイプの電気接続箱１におけるバスバー５の樹脂ケース２への組み込みは、図５と図６にその一部を拡大して示すバスバーユニット１１を用いてなされる。バスバーユニット１１は、電気接続箱１で必要とする回路パターンにおける導電路に対応する各バスバー５を連結部１２で仮に連結して形成される。このバスバーユニット１１は、それを形成する各バスバー５について上述のような露出部７と埋込み部８が得られるようにしてインサート部４にインサート成型により組み込まれた後、窓部３で露出する連結部１２に切断加工が施される。そしてこの連結部切断加工により各バスバー５が必要な状態に分離され、所定の回路パターンの導電路が樹脂ケース２に形成される。
【０００５】
図５に部分的に示すバスバーユニット１１のバスバー構造部位では、図５に現れる範囲においてバスバー５ａが露出部７ａと露出部７ｂを有し、バスバー５ｂがバスバー５ａと窓部３ａを共用する露出部７ｃを有している。そして露出部７ａはバスバー５ａの電気的接触部９ａに対応し、露出部７ｂはバスバー５ａの電気的接触部９ｂに対応し、露出部７ｃはバスバー５ｂの電気的接触部９ｃに対応している。
【０００６】
露出部７ａと露出部７ｃ、つまり電気的接触部９ａと電気的接触部９ｂは、対称的な構造とされ、それぞれ端子部１３と直交突出部１４を有する構造とされている。端子部１３は、窓部３ａの露出部突出辺６に平行になるとともに平板状のインサート部４に平行になるように形成され、インサート部４に対して倒したタイプ、つまり倒しタイプとされている。一方、直交突出部１４は、端子部１３に直交する状態で端子部１３に連続するようにされ、したがって露出部突出辺６に直交する状態で窓部３に突出するようにされている。そしてこのバスバー５ａとバスバー５ｂそれぞれの露出部７ａ、７ｃ（電気的接触部９ａ、９ｃ）における両直交突出部１４、１４に差し渡すようにして設けられた連結部１２によりバスバー５ａとバスバー５ｂが連結されており、その連結部１２が露出部７ａ、７ｃに位置するようにされている。
【０００７】
露出部７ｂ、つまり電気的接触部９ｂは、インサート部４に対して直立するように形成された直立タイプの端子部１５を複数設けた構造とされ、これら各端子部１５が窓部３ｂで露出するようにされている。
【０００８】
図７に示すのは、バスバーユニット１１にあってバスバー５ａとバスバー５ｂを連結する連結部１２に施す切断加工についてのイメージである。インサート成型によりインサート部４に組み込まれているバスバーユニット１１の連結部１２に対しそれを裏面側から支持するようにしてダイス１６をセットし、それからパンチ１７を連結部１２に対して下降させて連結部１２を切断する。この連結部切断加工により、図８に示すように、連結部１２の除去がなされてバスバー５ａとバスバー５ｂが分離され、所定の回路パターンの導電路が形成される。
【０００９】
以上のような電気接続箱１には、連結部１２の切断加工に伴う埋込み部露出化問題がある。埋込み部露出化問題は、連結部１２の切断加工により埋込み部８の一部がインサート部４の樹脂中から露出する状態になる埋込み部露出化を招くという問題であり、その埋込み部露出化は、連結部１２の切断加工に際してパンチ１７により連結部１２に加わる力で埋込み部８が引っ張られることでもたらされ、特に、図５におけるようなバスバー構造部位に生じ易い。
【００１０】
すなわち図５におけるバスバー構造部位では、バスバー５ａの露出部７ａにおける直交突出部１４に直接に連続する埋込み部８が直交突出部１４に直近させてつなぎ部１８を有している。そしてそのつなぎ部１８は、直交突出部１４に対して直角的に折り曲がる状態で連続して延在するように、つまり直交突出部１４が窓部３に突出することになる露出部突出辺６に平行になる状態で直交突出部１４に連続して延在するように形成されており、露出部突出辺６に対して樹脂厚δの樹脂で隔離されてインサート部４の樹脂中に埋め込まれている。このようなバスバー構造にあっては、樹脂厚δを十分に確保できない場合が少なからずあり、そのようになった場合、パンチ１７により連結部１２に加わる力に起因して埋込み部８におけるつなぎ部１８に加わる引張り力（図５中にブロック矢印で示す方向に働く）に樹脂厚δの樹脂が耐え切れず、そのためにつなぎ部１８に傾きを生じ、それによりつなぎ部１８の一部が窓部３に露出させられてしまい、埋込み部露出化を来たしてしまうことになる。
【００１１】
なお、導電路にバスバーが用いられる電気接続箱など電気的接続部品については、特許文献１や特許文献２に開示の例が知られ、またバスバーをインサート成型で組み込むインサート成型タイプについては特許文献３に開示の例が知られ、さらにバスバーユニットについては特許文献４に開示の例が知られている。
【００１２】
【特許文献１】特開２０００−２２４７３３号公報
【特許文献２】特開２００１−２２３４５９号公報
【特許文献３】特開２００４−３２９１１号公報
【特許文献４】特開２００２−７８１５５号公報
【発明の開示】
【発明が解決しようとする課題】
【００１３】
上述の電気接続箱における例のようにインサート成型タイプの電気的接続部品には上述のようなバスバーユニットの連結部の切断加工に伴う埋込み部露出化問題がある。埋込み部露出化は、本来は樹脂中に埋め込まれているべき部位が露出状態になることであり、電気的接続部品の品質上で好ましくないことである。このため埋込み部露出化を効果的に防止できるようにすることが望まれる。
【００１４】
本発明は、このような要求に応えるためになされたものであり、その課題は、導電路用のバスバーを樹脂ケースにインサート成型して所望回路パターンの導電路を樹脂ケースに形成させるインサート成型タイプの電気的接続部品について、樹脂ケースにおけるバスバー露出用の窓部に対してバスバーの埋込み部を隔離する樹脂厚を十分に確保できないような条件の場合でも、埋込み部露出化を効果的に防止できるようにすることにある。
【課題を解決するための手段】
【００１５】
本発明では、上記課題を解決するために、所望の配置パターンで設けられる複数の窓部を有するインサート部が形成された樹脂ケースを備えるとともに、インサート成型により前記インサート部を介して前記樹脂ケースに組み込まれた複数のバスバーを備え、そして前記複数のバスバーの前記樹脂ケースへの組み込みは、前記複数のバスバーを連結部で仮に連結して形成されるバスバーユニットを用いてなされ、前記バスバーユニットにおける前記複数のバスバーそれぞれについて、前記窓部で前記インサート部の樹脂中から突出して露出する露出部と前記樹脂中に埋め込まれる埋込み部が得られるようにして前記バスバーユニットを前記インサート部にインサート成型により組み込んだ後に、前記窓部で露出する前記連結部に切断加工を施すことで前記複数のバスバーに所望回路パターンの導電路を形成させるようしてなる電気的接続部品において、前記埋込み部に対する前記樹脂による保持力を増強させる保持力増強部が前記連結部の近傍で前記バスバーに設けられていることを特徴としている。
【００１６】
このような電気的接続部品では、連結部の近傍でバスバーに設けた保持力増強部により連結部の近傍における埋込み部に対する樹脂の保持力を増強させることができることから、バスバー露出用の窓部に対してバスバーの埋込み部を隔離する樹脂厚を十分に確保できないような条件の場合でも、連結部の切断時に連結部に加わる力に起因して埋込み部に加わる引張り力に耐えるだけの樹脂による保持力を確保することができ、したがって埋込み部露出化を効果的に防止することができる。
【００１７】
また本発明では、上記のような電気的接続部品について、前記窓部は、前記露出部を前記樹脂中から突出させる露出部突出辺を有する形状に形成され、前記バスバーユニットにおける前記連結部は、前記露出部突出辺に平行となる状態で前記窓部に露出するようにされ、前記バスバーは、前記露出部突出辺に直交する状態で前記窓部に突出する直交突出部を前記露出部に有するとともに、前記直交突出部に対して直角的に折り曲がる状態で連続するつなぎ部を前記埋込み部に有している場合、前記保持力増強部は、前記つなぎ部の延在方向で前記つなぎ部に突設された突部として形成することを好ましい形態とする。このようにすることにより、埋込み部におけるつなぎ部に生じ易い埋込み部露出化をより効果的に防止することができる。
【発明の効果】
【００１８】
以上のような本発明によれば、導電路用のバスバーを樹脂ケースにインサート成型して所望回路パターンの導電路を樹脂ケースに形成させるインサート成型タイプの電気的接続部品について、樹脂ケースにおけるバスバー露出用の窓部に対してバスバーの埋込み部を隔離する樹脂厚を十分に確保できないような条件の場合でも、埋込み部露出化を効果的に防止できるようになる。
【発明を実施するための最良の形態】
【００１９】
以下、本発明を実施するための形態について説明する。図１〜図３に、一実施形態によるインサート成型タイプの電気的接続部品である電気接続箱２１の構成を示す。ここで、図１は電気接続箱２１の全体的な平面視状態を示し、図２は図１中のＢ部を拡大して示し、図３はＢ部におけるバスバーとバスバーユニットの構成を示している。なお、電気接続箱２１は、基本的には図４〜図６における電気接続箱１と同様で、以下に説明する構成について相違しているだけである。したがって電気接続箱１と共通する構成については、図４〜図６におけるのと同一の符号を付して示し、上での説明を援用するものとする。
【００２０】
電気接続箱２１は、図２に示すように、そのバスバーユニット２２が図５におけるバスバー構造部位と基本的な構成で共通するバスバー構造部位を有している。すなわちバスバーユニット２２は、バスバー５ａの露出部７ａにおける直交突出部１４に連続する埋込み部８がつなぎ部１８を有している。そしてそのつなぎ部１８は、直交突出部１４に対して直角的に折り曲がる状態で連続して延在するように、つまり直交突出部１４が窓部３に突出することになる露出部突出辺６に平行になる状態で直交突出部１４に連続して延在するように形成されており、露出部突出辺６に対して樹脂厚δの樹脂で隔離されてインサート部４の樹脂中に埋め込まれている。
【００２１】
このようなバスバー構造にあってバスバーユニット２２は、埋込み部８に対する樹脂による保持力を増強させる保持力増強部２３が連結部１２の近傍でバスバー５ａに設けられている。より具体的には、つなぎ部１８の各端部につなぎ部１８の延在方向で突出するように第１の突部２４と第２の突部２５が突設され、これら第１の突部２４と第２の突部２５がそれぞれ保持力増強部２３を形成するようにされている。
【００２２】
このような電気接続箱２１では、第１の突部２４や第２の突部２５として形成された保持力増強部２３により埋込み部８におけるつなぎ部１８に対する樹脂の保持力を増強させることができる。このため、上述のような連結部１２の切断加工に際して連結部１２に加わる力に起因して埋込み部８におけるつなぎ部１８に加わる引張り力に耐えるだけの樹脂の保持力を埋込み部８におけるつなぎ部１８に確保することができ、したがってつなぎ部１８に埋込み部露出化が発生するのを効果的に防止することができる。
【００２３】
なお、保持力増強部２３と同様に機能する保持力増強部は、図２におけるバスバー構造部位に以外の部位についても必要に応じて設けられることになるが、それらについては説明を省略する。
【００２４】
以上、本発明を実施するための形態について説明したが、これは代表的な例に過ぎず、本発明はその趣旨を逸脱することのない範囲で様々な形態で実施することができる。
【図面の簡単な説明】
【００２５】
【図１】一実施形態による電気的接続部品である電気接続箱の構成を簡略化して示す図である。
【図２】図１中のＢ部を拡大して示す図である。
【図３】図１中のＢ部におけるバスバーとバスバーユニットの構成を示す図である。
【図４】従来の電気接続箱の構成を簡略化して示す図である。
【図５】図４中のＡ部を拡大して示す図である。
【図６】図４中のＡ部におけるバスバーとバスバーユニットの構成を示す図である。
【図７】バスバーユニットの連結部に施す切断加工についてイメージ化して示す図である。
【図８】図４中のＡ部について連結部切断後の状態を示す図である。
【符号の説明】
【００２６】
１、２１    電気接続箱（電気的接続部品）
２    樹脂ケース
３    窓部
４    インサート部
５    バスバー
６    露出部突出辺
７    露出部
８    埋込み部
１１、２２    バスバーユニット
１２    連結部
１４    直交突出部
１８    つなぎ部
２３    保持力増強部
２４    第１の突部
２５    第２の突部
【図１】
2010046835.tif 000003
【図２】
2010046835.tif 000004
【図３】
2010046835.tif 000005
【図４】
2010046835.tif 000006
【図５】
2010046835.tif 000007
【図６】
2010046835.tif 000008
【図７】
2010046835.tif 000009
【図８】
2010046835.tif 000010